(57)【要約】【課題】コンピュータごとのエネルギー消費量を当該コンピュータに表示するエネルギー消費量管理システムを提供すること。【解決手段】コンピュータ１と、コンピュータ１から稼働状態を取得し、取得した稼働状態を時系列に記憶するＰＣ電源管理サーバ２と、空調設備３および照明設備４のエネルギー消費量を監視する中央監視サーバ５とを備えたエネルギー消費量管理システムにおいて、中央監視サーバ５は、予めコンピュータの稼働状態に関連づけて記憶したエネルギー消費量と、ＰＣ電源管理サーバ２から通知されたコンピュータの稼働状態とに基づいて、稼働状態が通知されたコンピュータのエネルギー消費量を求めるとともに、稼働状態が通知されたコンピュータ１に求めたエネルギー消費量を通知する一方、コンピュータ１は、中央監視サーバ５から通知されたエネルギー消費量を表示部１２に表示するようにした。【選択図】図２
2012003316.tif 000002
【特許請求の範囲】
【請求項１】
コンピュータと、前記コンピュータから前記コンピュータの稼働状態を取得し、取得した稼働状態を時系列に記憶するＰＣ電源管理サーバと、共有設備のエネルギー消費量を監視する中央監視サーバとを備えたエネルギー消費量管理システムにおいて、
前記中央監視サーバは、予めコンピュータの稼働状態に関連づけて記憶したエネルギー消費量と、前記ＰＣ電源管理サーバから通知されたコンピュータの稼働状態とに基づいて、稼働状態が通知されたコンピュータのエネルギー消費量を求めるとともに、求めたエネルギー消費量を稼働状態が通知されたコンピュータに通知する一方、
前記コンピュータは、前記中央監視サーバから通知されたエネルギー消費量を表示部に表示することを特徴とするエネルギー消費量管理システム。
【請求項２】
前記中央監視サーバは、共有設備のエネルギー消費量を稼働状態がオン状態であるコンピュータの台数で按分し、通知するエネルギー消費量に加えることを特徴とする請求項１に記載のエネルギー消費量管理システム。
【発明の詳細な説明】
【技術分野】
【０００１】
本発明は、コンピュータのエネルギー消費量を管理するエネルギー消費量管理システムに関し、特に、コンピュータのエネルギー消費量を当該コンピュータに表示するエネルギー消費量管理システムに関する。
【背景技術】
【０００２】
建物またはオフィスに設置された複数台のコンピュータのエネルギー消費量を管理するエネルギー消費量管理システムが提案されている。このエネルギー消費量管理システムは、システムを管理する中央監視サーバと、中央監視サーバに接続され、管理情報の仲介を行うＰＣ電源管理サーバと、ＰＣ電源管理サーバに接続された複数台のコンピュータとにより構成されている。そして、中央監視サーバがＰＣ電源管理サーバに接続されたコンピュータの稼働状態を把握して、コンピュータの動作モードを制御することにより、システムの総消費エネルギー量を管理する（たとえば、特許文献１参照）。
【先行技術文献】
【特許文献】
【０００３】
【特許文献１】特開２０００−２６７７６６号公報
【発明の概要】
【発明が解決しようとする課題】
【０００４】
しかしながら、上述したエネルギー消費量管理システムでは、コンピュータのエネルギー消費量を当該コンピュータに表示することはない。このため、このエネルギー消費量管理システムでは、就業者によるエネルギー消費量の節約行動に結びつかない。
【０００５】
本発明は、上記に鑑みてなされたものであって、コンピュータのエネルギー消費量を当該コンピュータに表示し、就業者のエネルギー消費量に対する意識を高め、就業者によるエネルギー消費量の節約行動を促進するエネルギー消費量管理システムを提供することを目的とする。
【課題を解決するための手段】
【０００６】
上述した課題を解決し、目的を達成するために、本発明は、コンピュータと、前記コンピュータから前記コンピュータの稼働状態を取得し、取得した稼働状態を時系列に記憶するＰＣ電源管理サーバと、共有設備のエネルギー消費量を監視する中央監視サーバとを備えたエネルギー消費量管理システムにおいて、前記中央監視サーバは、予めコンピュータの稼働状態に関連づけて記憶したエネルギー消費量と、前記ＰＣ電源管理サーバから通知されたコンピュータの稼働状態とに基づいて、稼働状態が通知されたコンピュータのエネルギー消費量を求めるとともに、求めたエネルギー消費量を稼働状態が通知されたコンピュータに通知する一方、前記コンピュータは、前記中央監視サーバから通知されたエネルギー消費量を表示部に表示することを特徴とする。
【０００７】
また、本発明は、上記エネルギー消費量管理システムにおいて、前記中央監視サーバは、共有設備のエネルギー消費量を稼働状態がオン状態であるコンピュータの台数で按分し、通知するエネルギー消費量に加えることを特徴とする。
【発明の効果】
【０００８】
本発明にかかるエネルギー消費量管理システムにおいて、中央監視サーバは、予めコンピュータの稼働状態に関連づけて記憶したエネルギー消費量と、ＰＣ電源管理サーバから通知されたコンピュータの稼働状態とに基づいて、稼働状態が通知されたコンピュータのエネルギー消費量を求めるとともに、求めたエネルギー消費量を稼働状態が通知されたコンピュータに通知する一方、コンピュータは、中央管理サーバから通知されたエネルギー消費量を表示部に表示するので、就業者のエネルギー消費量に対する意識を高め、就業者によるエネルギー消費量の節約行動を促進する。
【図面の簡単な説明】
【０００９】
【図１】図１は、本発明の実施の形態であるエネルギー消費量管理システムを示す概念図である。
【図２】図２は、図１に示したエネルギー消費量管理システムの構成を示すブロック図である。
【発明を実施するための形態】
【００１０】
以下に、本発明にかかるエネルギー消費量管理システムの実施の形態を図面に基づいて詳細に説明する。なお、この実施の形態によりこの発明が限定されるものではない。
【００１１】
図１は、本発明の実施の形態であるエネルギー消費量管理システムを示す概念図であり、図２は、図１に示したエネルギー消費量管理システムの構成を示すブロック図である。
【００１２】
図１に示すように、本発明の実施の形態であるエネルギー消費量管理システムは、就業者が使用するコンピュータ１に当該コンピュータ１のエネルギー消費量を表示するもので、建物またはオフィスに設置された複数台のコンピュータ１と、コンピュータ１の稼働状態を取得し、コンピュータ１の稼働情報を時系列に記憶するＰＣ電源管理サーバ２と、空調設備３および照明設備４などの共有設備の稼働状態を監視し、空調設備３および照明設備４などの共有設備のエネルギー消費量を管理する中央監視サーバ５とを備えている。
【００１３】
図２に示すように、コンピュータ１は、データなどを入力する入力部１１と、入力部１１から入力されたデータに基づいて処理を行うとともに、ＰＣ電源管理サーバ２に稼働状態を通知する処理、中央監視サーバ５から通知されたエネルギー消費量を表示データに変換し表示部１２に表示させる処理を実行する制御部１３と、ネットワーク６のインタフェース機能を有し、ＰＣ電源管理サーバ２および中央監視サーバ５と通信を行うネットワークインタフェース部１４とを有している。
【００１４】
稼働状態は、たとえば、オフ状態、スリープ状態、低消費電力状態、フル稼働状態であり、ＰＣ電源管理サーバ２からの要求に応じて、稼働状態をＰＣ電源管理サーバ２に通知する。なお、コンピュータ１がオフ状態の場合には、応答がないので、ＰＣ電源管理サーバ２は当該コンピュータ１の稼働状態をオフ状態と認識する。
【００１５】
ＰＣ電源管理サーバ２は、予め定めた時間ごとにコンピュータ１に稼働状態を要求する処理、コンピュータ１から通知された稼働状態をその通知時間と関連づけて稼働履歴記憶部２１に記憶する処理、通知された稼働状態を中央監視サーバ５に通知する処理を実行する制御部２２と、ネットワーク６のインタフェース機能を有し、コンピュータ１および中央監視サーバ５と通信を行うネットワークインタフェース部２３とを有している。
【００１６】
中央監視サーバ５は、コンピュータの稼働状態ごとに単位時間当たりのエネルギー消費量を記憶した記憶部５１と、空調設備３を監視するとともに空調設備３の単位時間当たりのエネルギー消費量を管理する空調監視部５２と、照明設備４を監視するとともに照明設備４の単位時間当たりのエネルギー消費量を管理する照明監視部５３と、オン状態（スリープ状態、低消費電力状態、フル稼働状態いずれかの状態）のコンピュータの台数を集計する処理、稼働状態に基づいてコンピュータごとにエネルギー消費量を求める処理、空調設備３および照明設備４の単位時間当たりのエネルギー消費量をオン状態にあるコンピュータの台数で按分する処理を実行する制御部５４と、ネットワーク６のインタフェース機能を有し、ＰＣ電源管理サーバ２およびコンピュータ１と通信を行うネットワークインタフェース部５５とを有している。
【００１７】
上述したエネルギー消費量管理システムにおいて、予め定めた時間が経過すると、ＰＣ電源管理サーバ２は、コンピュータ１に稼働状態を順次要求する。稼働状態が要求されたコンピュータ１がスリープ状態、低消費電力状態、フル稼働状態の場合にはその状態をＰＣ電源管理サーバ２に通知する。なお、コンピュータ１がオフ状態の場合には応答不能であり、ＰＣ電源管理サーバ２は応答がないコンピュータ１の稼働状態をオフ状態と認識する。
【００１８】
ＰＣ電源管理サーバ２は、コンピュータ１から通知された稼働状態を通知時刻と関連づけて稼働履歴記憶部２１に記憶するとともに、コンピュータ１ごとに稼働状態を中央監視サーバ５に通知する。
【００１９】
中央監視サーバ５は、ＰＣ電源管理サーバ２から通知された稼働状態に基づき、オン状態（スリープ状態、低消費電力状態、フル稼働状態のいずれかの状態）のコンピュータ１の台数を集計するとともに、通知された稼働状態と記憶部５１に記憶した単位時間あたりのエネルギー消費量とからその稼働状態における単位時間当たりのエネルギー消費量をコンピュータ１ごとに算出する。そして、空調設備３および照明設備４の単位時間当たりのエネルギー消費量をオン状態のコンピュータの台数で按分し、上述したエネルギー消費量に加え、コンピュータ１に通知する。
【００２０】
エネルギー消費量が通知されたコンピュータ１は、そのエネルギー消費量を表示データに変換し、表示部１２に表示する。
【００２１】
上述したエネルギー消費量管理システムは、コンピュータ１の稼働状態に応じたエネルギー消費量に共有する空調設備３および照明設備４のエネルギー消費量を按分したエネルギー消費量をコンピュータ１の表示部１２に個別に表示する。したがって、コンピュータ１の使用者は自身が消費しているエネルギー消費量を逐次知ることにより、エネルギー消費量に対する意識を高めることができる。この結果、エネルギー消費量の節約行動を促進する。
【００２２】
なお、上述したエネルギー消費量管理システムでは、ＰＣ電源管理サーバ２が予め定めた時間ごとにコンピュータ１に稼働状態を要求するものとしたが、コンピュータ１の状態が移行した場合（たとえば、オフ状態からオン状態に移行した場合、オン状態からフル稼働状態に移行した場合、フル稼働状態からスリープ状態に移行した場合など）にその稼働状態をＰＣ電源管理サーバ２に通知するものとしてもよい。この場合には、状態が移行するごとにコンピュータ１からＰＣ電源管理サーバ２に稼働状態が通知され、ＰＣ電源管理サーバ２から中央監視サーバ５に稼働状態が通知される。そして、中央監視サーバ５は、コンピュータ１の稼働状態が移行するたびに稼働状態が移行したコンピュータ１のエネルギー消費量を求め、稼働状態が移行したコンピュータ１に通知する。したがって、稼働状態が移行したコンピュータ１の表示部１２には稼働状態移行後のエネルギー消費量が表示される。
【符号の説明】
【００２３】
１    コンピュータ
１１    入力部
１２    表示部
１３    制御部
１４    ネットワークインタフェース部
２    ＰＣ電源管理サーバ
２１    稼働履歴記憶部
２２    制御部
２３    ネットワークインタフェース部
３    空調設備
４    照明設備
５    中央監視サーバ
５１    記憶部
５２    空調監視部
５３    照明監視部
５４    制御部
５５    ネットワークインタフェース部
６    ネットワーク
【図１】
2012003316.tif 000003
【図２】
2012003316.tif 000004